(57)【要約】【課題】外観が損なわれることを防止し、商品の収容作業性が良好な包装箱を提供する。【解決手段】横方向に交互に連続する端壁１０Ａ，１０Ｂおよび側壁１１Ａ，１１Ｂを有する平面視四角形状をなし、これらの下端に内外に重畳した状態で底面を閉塞する底フラップ１６Ａ，１６Ｂ，１７Ａ，１７Ｂを連設した包装箱１において、各端壁１０Ａ，１０Ｂの上端に、内面側に略平行に折り込まれる第１内壁部２６を有する第１緩衝部２４を連設するとともに、隣接する側壁１１Ａ，１１Ｂに向けて延びる上面部３４およびこの上面部３４の内縁から下向きに折り込まれる第２内壁部３５を有する第２緩衝部３３Ａ，３３Ｂを連設し、第１および第２内壁部２６，３５の下端縁に係止突部２９，３７を設け、内側に位置する内側底フラップ１６Ａ，１６Ｂに、係止突部２９，３７を係止する係止溝１９，２０を設ける。【選択図】図４
2012254815.tif 000002
【特許請求の範囲】
【請求項１】
横方向に交互に連続する各一対の端壁および側壁を有する平面視四角形状をなし、これら端壁および側壁の下端に内外に重畳した状態で底面を閉塞する底フラップを連設した包装箱において、
前記各端壁の上端に、各端壁の内面側に略平行に折り込まれる第１内壁部を有する第１緩衝部を連設するとともに、隣接する前記側壁に向けて延びる上面部およびこの上面部の内縁から下向きに折り込まれる第２内壁部を有する第２緩衝部を連設し、
前記第１および第２内壁部の下端縁に係止突部を設け、前記底フラップの内側に位置する部分に、前記係止突部を係止する係止溝を設けた
ことを特徴とする包装箱。
【発明の詳細な説明】
【技術分野】
【０００１】
本発明は、内部に平面視六角形以上の多角形状収容部を形成可能な平面視四角形状の包装箱に関するものである。
【背景技術】
【０００２】
円板状をなす商品を収容する包装箱は、平面視四角形状をなす外周壁の４隅に緩衝部を配置することにより、内部の収容部を平面視八角形状とし、商品との間に形成される空隙を少なくしている。また、別部材からなる緩衝部を包装箱に配置すると部品点数が増加するという問題がある。
【０００３】
そこで、特許文献１では、中央に位置する底壁の対向する縁に端壁を連設するとともに、他の対向する縁に側壁を連設し、第１および第２緩衝部を一体に連設した包装箱を提供している。第１緩衝部は、端壁および側壁の中央に形成されており、これらの内面側に折り込まれる第１内壁部を備えている。第２緩衝部は、端壁における第１緩衝部の両側に形成されており、隣接する側壁に向けて延びる台形状の上面部と、この上面部の内縁から下向きに折り込まれる第２内壁部とを備えている。なお、側壁には、第１緩衝部の両側に第２緩衝部の上面部の内（下）側に配置される支持部が連設されている。
【０００４】
しかしながら、この特許文献１の包装箱は、第１緩衝部を折り込んだ状態で固定するために、底壁に第１緩衝部の係止突部を係止するための係止溝を設ける必要がある。この場合、この係止溝が包装箱の外側から見えるため、外観が損なわれるだけでなく、その係止溝から塵埃が内部に侵入するという不都合がある。
【０００５】
一方、特許文献２では、横方向に交互に連続する端壁および側壁を有し、側壁の下端に内部に折り込まれる第１緩衝部を連設し、端壁の上端に内部に折り込まれる第２緩衝部を連設した包装箱を提供している。また、一対の端壁の下端には、底面を閉塞する底蓋フラップが連設され、一対の側壁の上端には、上面を閉塞する天蓋フラップが連設されている。この包装箱では、第１および第２緩衝部の間に円板状をなす商品を挟み込むようにして配設する。そのため、包装箱は、打ち抜いた溝が外側に存在しないため、外観が損なわれることはない。
【０００６】
しかし、この特許文献２の包装箱は、商品を第１緩衝部の上に載せ、第２緩衝部で挟み込むようにして固定するものであるため、商品の収容作業性が悪いという問題がある。
【先行技術文献】
【特許文献】
【０００７】
【特許文献１】実開昭５８−９８３１１号公報
【特許文献２】特開２０１０−４７３０２号公報
【発明の概要】
【発明が解決しようとする課題】
【０００８】
本発明は、外観が損なわれることを防止し、商品の収容作業性が良好な包装箱を提供することを課題とするものである。
【課題を解決するための手段】
【０００９】
前記課題を解決するため、本発明の包装箱は、横方向に交互に連続する各一対の端壁および側壁を有する平面視四角形状をなし、これら端壁および側壁の下端に内外に重畳した状態で底面を閉塞する底フラップを連設した包装箱において、前記各端壁の上端に、各端壁の内面側に略平行に折り込まれる第１内壁部を有する第１緩衝部を連設するとともに、隣接する前記側壁に向けて延びる上面部およびこの上面部の内縁から下向きに折り込まれる第２内壁部を有する第２緩衝部を連設し、前記第１および第２内壁部の下端縁に係止突部を設け、前記底フラップの内側に位置する部分に、前記係止突部を係止する係止溝を設けた構成としている。
【発明の効果】
【００１０】
本発明の包装箱では、端壁に、内面側に折り込まれる第１緩衝部を設けるとともに、側壁との隅に折り込まれる第２緩衝部を設けているため、１枚のブランクで平面視六角形以上の多角形状収容部を形成することができる。そして、この包装箱に商品を収容させる際には、上方から内部に配置させるだけで良いため、収容作業性を損なうことはない。また、包装箱は、底面を各壁に連設した底フラップによって閉塞し、その内側に位置する部分に各緩衝部の係止突部を係止する係止溝を設けているため、この係止溝は、外側に位置する底フラップによって閉塞される。よって、外観が損なわれることはないうえ、塵埃が内部に侵入することを確実に防止できる。
【図面の簡単な説明】
【００１１】
【図１】本発明に係る実施形態の包装箱を示す斜視図である。
【図２】包装箱の第１封緘工程を示す斜視図である。
【図３】包装箱の第２封緘工程を示す斜視図である。
【図４】包装箱の第３封緘工程を示す斜視図である。
【図５】包装箱のブランクを示す平面図である。
【発明を実施するための形態】
【００１２】
以下、本発明の実施の形態を図面に従って説明する。
【００１３】
図１乃至図５は、本発明に係る実施形態の包装箱１を示す。この包装箱１は、各一対の端壁１０Ａ，１０Ｂおよび側壁１１Ａ，１１Ｂを有する平面視四角形状のもので、一体的に形成した第１および第２緩衝部２４，３３Ａ，３３Ｂを内部に配置することにより、平面視八角形状の収容部２を形成可能としたものである。
【００１４】
この包装箱１は、表ライナおよび裏ライナの間に波状の中しんを配設した周知の段ボール紙を、周知の紙器打抜装置（図示せず）によって図５に示す連続した一枚のブランクとして打ち抜き、所定部位を糊付けにより貼着して成形される。
【００１５】
包装箱１のブランクは、図５に示すように、外周壁を構成する各一対の端壁１０Ａ，１０Ｂおよび側壁１１Ａ，１１Ｂを備えている。これらは、横方向に交互かつ直線的に連続するように設けられている。本実施形態の端壁１０Ａ，１０Ｂおよび側壁１１Ａ，１１Ｂは、封緘状態で平面視正方形状をなすように同一の横幅で形成されている。これらのうち、左側端部に位置する側壁１１Ａの側縁には、右側端部に位置する端壁１０Ｂに貼着するための糊代部１２が連設されている。そして、側壁１１Ａと端壁１０Ａの境界部分、端壁１０Ａと側壁１１Ｂの境界部分、側壁１１Ｂと端壁１０Ｂの境界部分、および、糊代部１２と側壁１１Ａの境界部分には、それぞれ肉厚を圧縮するように罫を入れて形成した折曲線１３が縦方向に延びるように設けられている。なお、本実施形態の糊代部１２には、後述する緩衝フラップ２１Ｂおよび内側底フラップ１６Ｂに貼着するための糊代片１４Ａ，１４Ｂが上下に連設され、その境界部分に折曲線１５が設けられている。
【００１６】
端壁１０Ａ，１０Ｂの下端には内側底フラップ１６Ａ，１６Ｂが連設され、側壁１１Ａ，１１Ｂの下端には外側底フラップ１７Ａ，１７Ｂが連設されている。これら底フラップ１６Ａ，１６Ｂ，１７Ａ，１７Ｂと各壁１０Ａ，１０Ｂ，１１Ａ，１１Ｂとの境界部分には折曲線１８が設けられている。底フラップ１６Ａ，１６Ｂ，１７Ａ，１７Ｂは、内外に重畳するように折り曲げることにより、端壁１０Ａ，１０Ｂおよび側壁１１Ａ，１１Ｂで囲まれた底面を閉塞するものである。具体的には、内側底フラップ１６Ａ，１６Ｂは、端壁１０Ａ，１０Ｂに対して折り曲げられ、その後に外側底フラップ１７Ａ，１７Ｂを側壁１１Ａ，１１Ｂに対して折り曲げることにより、この外側底フラップ１７Ａ，１７Ｂの内側に全体が位置する。また、外側底フラップ１７Ａ，１７Ｂは、側壁１１Ａ，１１Ｂに対して折り曲げた状態で、互いの先端縁が突き合う寸法で形成されている。
【００１７】
内側底フラップ１６Ａ，１６Ｂには、折曲線１８の中央に位置するように、矩形状の第１係止溝１９が打ち抜きにより設けられている。また、内側底フラップ１６Ａ，１６Ｂには、両側中央から折曲線１８の略中央に向けて４５度の傾斜角度で延びるように、第２係止溝２０が打ち抜きにより設けられている。この第２係止溝２０において、内側底フラップ１６Ａ，１６Ｂの側縁に位置する端部は、円弧状をなすように面取りされている。
【００１８】
また、端壁１０Ａ，１０Ｂの上端には緩衝フラップ２１Ａ，２１Ｂが連設され、側壁１１Ａ，１１Ｂの上端には天フラップ２２Ａ，２２Ｂが連設されている。そして、これらフラップ２１Ａ，２１Ｂ，２２Ａ，２２Ｂと各壁１０Ａ，１０Ｂ，１１Ａ，１１Ｂの境界部分には折曲線２３が設けられている。そのうち、天フラップ２２Ａ，２２Ｂは、対向する側壁１１Ｂ，１１Ａまでの寸法より僅かに小さい寸法で形成される。また、天フラップ２２Ａ，２２Ｂは、折曲線２３の形成位置が異なるように形成されている。具体的には、天フラップ２２Ａの折曲線２３は、天フラップ２２Ｂの折曲線２３より先端側に位置するように形成されている。これにより、天フラップ２２Ｂを先に折り曲げた後、天フラップ２２Ａを折り曲げることにより、端壁１０Ａ，１０Ｂおよび側壁１１Ａ，１１Ｂで囲まれた天面を閉塞する構成としている。さらに、緩衝フラップ２１Ａ，２１Ｂには、中央に第１緩衝部２４が設けられ、その両側に第２緩衝部３３Ａ，３３Ｂが設けられている。
【００１９】
第１緩衝部２４は、端壁１０Ａ，１０Ｂに連続した第１上面部２５と、この第１上面部２５に連続した第１内壁部２６と、この第１内壁部２６に連続した折返部２７と、この折返部２７に連続した折込部２８とを有する。そのうち、第１内壁部２６は、端壁１０Ａ，１０Ｂの内面側に平行に折り込まれるもので、その下端縁中央には、内側底フラップ１６Ａ，１６Ｂの第１係止溝１９に係止される第１係止突部２９が設けられている。この第１係止突部２９は、第１内壁部２６から折込部２８にかけて延びる一対の第１切断部３０，３０と、これら第１切断部３０，３０の先端間にかけて延びる第２切断部３１とで区画されている。そして、第１上面部２５と第１内壁部２６の境界部分、第１係止突部２９の領域を除く第１内壁部２６と折返部２７の境界部分、および、折返部２７と折込部２８の境界部分には、平行に延びる折曲線３２が設けられている。
【００２０】
第２緩衝部３３Ａ，３３Ｂは、端壁１０Ａ，１０Ｂに連続した第２上面部３４と、この第２上面部３４の内縁に連続する第２内壁部３５と、この第２内壁部３５の側縁に連続する重畳部３６とを有する。第２上面部３４は、その内縁が隣接する側壁１１Ａ，１１Ｂに向けて４５度の傾斜角度で延び、側縁が隣接する側壁１１Ａ，１１Ｂの内面に沿って延びる直角台形状をなす。第２内壁部３５は、下向きに折り込まれる先（下）細の直角台形状のもので、その下端縁が内側底フラップ１６Ａ，１６Ｂの第２係止溝２０に係止される第２係止突部３７を構成する。重畳部３６は、側壁１１Ａ，１１Ｂに重畳するように折り曲げられるものである。第２上面部３４と第２内壁部３５の境界部分、および、第２内壁部３５と重畳部３６の境界部分には、肉厚を圧縮するように罫を入れて設けた折曲部と、この折曲線上に位置する切断部とからなるリード罫３８が設けられている。
【００２１】
このように打ち抜かれた包装箱１のブランクは、端壁１０Ａに対して側壁１１Ａを折り曲げるとともに、側壁１１Ｂに対して端壁１０Ｂを折り曲げ、重畳する糊代部１２と端壁１０Ｂとを、酢酸ビニルエマルジョン系などの接着剤により糊付けする。そして、この折畳状態で所定の製造メーカ等に納品される。
【００２２】
この包装箱１に商品を収容する場合には、図１に示すように、まず、各端壁１０Ａ，１０Ｂおよび側壁１１Ａ，１１Ｂを四角形状をなすように広げる。その後、端壁１０Ａ，１０Ｂに対して内側底フラップ１６Ａ，１６Ｂを折り曲げた後、側壁１１Ａ，１１Ｂに対して外側底フラップ１７Ａ，１７Ｂを折り曲げる。そして、互いに突き合った外側底フラップ１７Ａ，１７Ｂの先端を粘着テープなどの固着手段によって固着する。
【００２３】
ついで、図２に示すように、第１緩衝部２４を構成する折込部２８、折返部２７、第１内壁部２６および第１上面部２５をそれぞれ折曲線２３，３２に沿って折り曲げ、第１内壁部２６に対して面一に突出する第１係止突部２９を内側底フラップ１６Ａ，１６Ｂの第１係止溝１９に挿入して係止させる。
【００２４】
ついで、図３に示すように、第２緩衝部３３Ａ，３３Ｂを構成する第２上面部３４を端壁１０Ａ，１０Ｂに対して折り曲げた後、図４に示すように、第２上面部３４に対して第２内壁部３５を折り曲げるとともに、第２内壁部３５に対して重畳部３６を折り曲げる。そして、第２内壁部３５の下端である第２係止突部３７を内側底フラップ１６Ａ，１６Ｂの第２係止溝２０に挿入して係止させる。
【００２５】
これにより図４に示すように、包装箱１の内部に、側壁１１Ａ，１１Ｂと２個の第１緩衝部２４と４個の第２緩衝部３３Ａ，３３Ｂで囲まれた平面視八角形状の収容部２が形成される。即ち、一体に形成された１枚のブランクを折り曲げることにより、平面視多角形状をなす収容部２を形成することができる。そして、この包装箱１に商品を収容させる際には、上方から内部に配置させるだけで良いため、収容作業性は良好である。
【００２６】
そして、収容部２に商品を収容すると、側壁１１Ｂに対して天フラップ２２Ｂを折り曲げた後、側壁１１Ａに対して天フラップ２２Ａを折り曲げる。そして、この天フラップ２２Ａの先端と、天フラップ２２Ｂの根元部分または側壁１１Ｂにかけて粘着テープなどの固着手段によって固着する。
【００２７】
このようにして封緘した包装箱１は、底面を閉塞する底フラップ１６Ａ，１６Ｂ，１７Ａ，１７Ｂのうち、内側に位置する内側底フラップ１６Ａ，１６Ｂに各緩衝部２４，３３Ａ，３３Ｂの係止突部２９，３７を係止する係止溝１９．２０を設けている。そして、その係止溝１９，２０は、外側に位置する外側底フラップ１７Ａ，１７Ｂによって閉塞される。そのため、係止溝１９，２０によって外観が損なわれることはないうえ、塵埃が内部に侵入することを確実に防止できる。
【００２８】
なお、本発明の包装箱１は、前記実施形態の構成に限定されるものではなく、種々の変更が可能である。
【００２９】
例えば、前記実施形態では、第１緩衝部２４の両側に一対の第２緩衝部３３Ａ，３３Ｂを設けたが、第１緩衝部２４を端壁１０Ａ，１０Ｂの半分の領域に連設し、他の半分の領域に１個の第２緩衝部３３を設けることにより、平面視六角形状の収容部２を設ける構成としてもよい。また、包装箱１は、天フラップ２２Ａ，２２Ｂを設けないトレー状としてもよい。さらに、包装箱１は平面視正方形状に限られず、長方形状としてもよい。
【００３０】
また、前記実施形態では、底フラップは、内側に位置する内側底フラップ１６Ａ，１６Ｂと、外側に位置する外側底フラップ１７Ａ，１７Ｂにより構成したが、内外に重畳された状態で底面を閉塞するものであればよい。即ち、４面の底フラップ１６Ａ，１６Ｂ，１７Ａ，１７Ｂのうち、第１の底フラップ１６Ａを折り畳んだ後、隣接する第２の底フラップ１７Ａ、第３の底フラップ１６Ｂ、そして、第４の底フラップ１７Ｂを順番に折り曲げ、最後の第４の底フラップ１７Ｂの半分の領域を第１の底フラップ１６Ａの内側に折り込むようにする、所謂風車ロック方式としてもよい。また、側壁１１Ａを端壁１０Ａに対して折り曲げ、端壁１０Ｂを側壁１１Ｂに対して折り曲げた重畳状態で、底フラップ１６Ａ，１６Ｂの一部を重畳する底フラップ１７Ａ，１７Ｂに貼着しておき、端壁１０Ａ，１０Ｂおよび側壁１１Ａ，１１Ｂを矩形状をなすように広げることにより、自動的に底フラップ１６Ａ，１６Ｂ，１７Ａ，１７Ｂが閉塞するようにした所謂底ワンタッチ封緘方式としてもよい。そして、これらにおいても、底フラップ１６Ａ，１６Ｂ，１７Ａ，１７Ｂの内側に位置する部分に係止溝１９，２０を設けることにより、前記実施形態と同様の作用および効果を得ることができる。
【００３１】
さらに、前記実施形態では、第２上面部３４は、その内縁が隣接する側壁１１Ａ，１１Ｂに向けて４５度の傾斜角度で延びるように設けたが、その傾斜角度は希望に応じて変更が可能である。この場合、第２上面部３４の内縁に沿って下向きに延びる第２内壁部３５の係止突部３７と一致するように、内側底フラップ１６Ａ，１６Ｂに形成する第２係止溝２０の傾斜角度も同様に変更する。
【００３２】
さらにまた、前記実施形態では、内側底フラップ１６Ａ，１６Ｂに形成する第２係止溝２０を、内側底フラップ１６Ａ，１６Ｂの両側縁から延びるスリット状に形成したが、側縁から所定間隔をもって位置する中抜きの打抜溝により構成してもよい。この場合、第２内壁部３５に形成する係止突部３７も同様に、第２内壁部３５の所定位置からのみ突出するように形成する。
【符号の説明】
【００３３】
１…包装箱
２…収容部
１０Ａ，１０Ｂ…端壁
１１Ａ，１１Ｂ…側壁
１６Ａ，１６Ｂ…内側底フラップ
１７Ａ，１７Ｂ…外側底フラップ
１９…第１係止溝
２０…第２係止溝
２１Ａ，２１Ｂ…緩衝フラップ
２４…第１緩衝部
２５…第１上面部
２６…第１内壁部
２７…折返部
２８…折込部
２９…第１係止突部
３３Ａ，３３Ｂ…第２緩衝部
３４…第２上面部
３５…第２内壁部
３６…重畳部
３７…第２係止突部
【図１】
2012254815.tif 000003
【図２】
2012254815.tif 000004
【図３】
2012254815.tif 000005
【図４】
2012254815.tif 000006
【図５】
2012254815.tif 000007